(57)【特許請求の範囲】
【請求項１】
コンクリート打設後の布基礎を養生するための養生カバーであって、
前記布基礎の直線部分の表面を養生する直線カバーと、
前記布基礎の曲線部分および前記布基礎の接合部分を養生する役物シートとを備え、
前記直線カバーは、合成樹脂から構成されるとともに、前記布基礎に埋設されたアンカーボルトに貫通されてこのアンカーボルトのねじ部分と係合した状態で前記布基礎の上面を覆うカバー本体部と、このカバー本体部の両側に連続しかつ前記布基礎両側の型枠に係合される係合部とを有し、
前記役物シートは、前記布基礎の少なくとも上面を覆うように配置されていることを特徴とする養生カバー。
【請求項２】
請求項１に記載の養生カバーにおいて、
前記役物シートは、前記直線カバーの端部を覆っていることを特徴とする養生カバー。
【請求項３】
請求項１または請求項２に記載の養生カバーにおいて、前記直線カバーのカバー本体部の厚さは前記係合部よりも厚く形成され、前記カバー本体部と前記係合部との接合部分は、前記係合部よりも薄く形成されていることを特徴とする養生カバー。
【請求項４】
請求項１ないし請求項３のいずれかに記載の養生カバーにおいて、前記布基礎の前記接合部分は、直線部分同士が交差する十字接合部分であり、この十字接合部分を養生する前記役物シートは、平面部とその両側に設けられる側面部とを有し展開形状がＨ字状に形成されていることを特徴とする養生カバー。
【請求項５】
請求項１ないし請求項４のいずれかに記載の養生カバーにおいて、前記布基礎の前記接合部分は、一方の直線部分側面と他方の直線部分端部とが接合するＴ字接合部分であり、このＴ字接合部分を養生する前記役物シートは、平面部とその一方および他方の側面に設けられる側面部とを有し展開形状がコの字状に形成されていることを特徴とする養生カバー。
【請求項６】
請求項１ないし請求項５のいずれかに記載の養生カバーにおいて、前記直線カバーを覆う平場シートを備えていることを特徴とする養生カバー。
【発明の詳細な説明】
【０００１】
【発明の属する技術分野】
本発明は、コンクリート打設後の布基礎を養生するための養生カバーに関する。
【０００２】
【背景技術】
各種建築物の荷重を受ける基礎は、建築物の強度や耐久性に関わるものであり、基礎打設工程は、建造工程の中でも重要な工程の一つである。このような基礎としては、独立基礎、複合基礎、布基礎等の種々の様式がある。
このうち、布基礎は、現場において、根切穴を形成しこの根切穴に型枠を設置するとともに、型枠内にコンクリートを打設した後、自然養生を行ってコンクリートを硬化させ、硬化後に型枠を外すことにより、布基礎を構築している。
しかし、打設されたコンクリートの表面は、その中に含まれる水分が、直射日光、風等により乾燥するためひび割れしやすい。特に、強い直射日光を受ける夏期には乾燥が激しくなり、ひび割れしやすく、亀裂が入り、強度が大幅に低下するという問題がある。また、冬季には、凍結によるひび割れが生じ、強度が大幅に低下するという問題がある。
そこで、基礎全体を、例えば１枚の長方形の養生シートで覆ってコンクリートを密閉し、直射日光や風等からの影響を受けないようにして自然養生することが行われている（特開平３−１５１４６２号公報）。
【０００３】
【発明が解決しようとする課題】
しかし、従来の基礎全体を長方形の養生シートで覆う方法では、基礎全体を覆う大きさとなっているため、重い上にかさばって使いにくい。また、直線部分を覆うことは支障なく行えるが、基礎のコーナ部を覆う場合には、コーナ部の形状に沿ってシートを折り曲げながら覆わなければならない。この場合、下側に垂れ下がった部分によった皺を直しながらの作業となるため、養生シート取り付けの作業効率が悪いという問題がある。また、養生シートは、基礎全体を覆っているため、風にあおられやすく、その際の大きな音が騒音として周囲に影響を与えるという問題がある。
【０００４】
本発明の目的は、直射日光や風等による急激な乾燥を防止することができるとともに、作業効率が向上する養生カバーを提供することにある。
【０００５】
【課題を解決するための手段】
請求項１に記載の発明は、図面を参照して説明すると、図３に示すように、コンクリート打設後の布基礎１０を養生するための養生カバー１であって、前記布基礎１０の直線部分１１，１２の表面を養生する直線カバー２と、前記布基礎１０の接合部分１３〜１５を養生する役物シート３を備え、前記直線カバー２は、合成樹脂から構成されるとともに、前記布基礎１０に埋設されたアンカーボルト２３に貫通されてこのアンカーボルト２３のねじ部分と係合した状態で前記布基礎１０の上面を覆うカバー本体部２Ａと、このカバー本体部２Ａの両側に連続しかつ前記布基礎１０両側の型枠２０に係合される係合部２Ｂとを有し、前記役物シート３は、前記布基礎１０の少なくとも上面を覆うように配置されていることを特徴とする養生カバーである。
【０００６】
このような本発明によれば、布基礎の直線部分を直線カバー、接合部分を役物シートで覆い、布基礎全体を直線カバーと役物シートとで覆ったので、コンクリート表面の、直射日光や風等による急激な乾燥を防止できる。
また、布基礎全体を直線カバーと役物シートとで覆ったので、コンクリート表面の密閉性が高まり、外気温度が高い場合でも乾燥を防止することができ、また、寒冷地でも凍結を防止することができる。
さらに、それぞれ、直線カバーおよび役物シートで所定の位置を覆うようになっているので、一つ一つの部材の重量が１枚の大きなシートに比べて軽い上に、かさばらず、取扱いが容易となり、作業効率が向上する。
また、図７に示すように、前記直線カバー２は、前記布基礎１０に埋設されたアンカーボルト２３に貫通され、直線カバーの穴部と、アンカーボルトのねじ部分とが係合することにより、抜けにくくなり、これにより、直線カバーの脱落を容易に防止することができる。
【０００７】
請求項２に記載の発明は、図３に示すように、請求項ｌに記載の養生カバーにおいて、前記役物シート３は、前記直線カバー２の端部を覆っていることを特徴とするものである。
このような本発明によれば、直線カバー端部の加工が不要となり、直線カバーをそのまま使用することができるので、施行能率を向上させることができる。また、直線カバー端部は役物シートで覆われているので、直線カバーが風等で飛散するおそれが少ない。さらに、直線カバー端部と役物シートとが重なる部分があるので、その部分では、より乾燥を防止することができる。
【００１０】
請求項３に記載の発明は、図２に示すように、請求項１または請求項２に記載の養生カバーにおいて、前記直線カバー２のカバー本体部２Ａの厚さは前記係合部２Ｂよりも厚く形成され、前記カバー本体部２Ａと前記係合部２Ｂとの接合部分２Ｃは、前記係合部２Ｂよりも薄く形成されていることを特徴とするものである。
このような本発明によれば、カバー本体部を厚くしたので、コンクリートの断熱性をさらに向上させることができる。また、カバー本体部と係合部との接合部分を薄くしたので、直線カバーを型枠に支持させる際、拡げやすくなって、取り付けやすくなり、従って、直線カバーの取り付けの施行性を向上させることができる。
【００１１】
請求項４に記載の発明は、図５に示すように、請求項１ないし請求項３のいずれかに記載の養生カバーにおいて、前記布基礎１０の前記接合部分は、直線部分１２同士が交差する十字接合部分１４であり、この十字接合部分１４を養生する前記役物シート５は、平面部５Ａとその両側に設けられる側面部５Ｂ、５Ｃとを有し展開形状がＨ字状に形成されていることを特徴とするものである。
このような本発明によれば、平面部を十字接合部分上に載せ、側面部を折り曲げるだけで布基礎の十字接合部の上面および側面を覆えるので、十字接合部分を容易に覆うことができる。
【００１２】
請求項５に記載の発明は、図６に示すように、請求項１ないし請求項４のいずれかに記載の養生カバーにおいて、前記布基礎１０の前記接合部分は、一方の直線部分１１側面と他方の直線部分端部１２とが接合するＴ字接合部分１５であり、このＴ字接合部分１５を養生する前記役物シート６は、平面部６Ａとその一方および他方の側面に設けられる側面部６Ｂ，６Ｃとを有し展開形状がコの字状に形成されていることを特徴とするものである。
このような本発明によれば、平面部をＴ字接合部分の上面に載せ、一方の側面部を一方の直線部分の側面に折り曲げるとともに、他方の側面部を他方の直線部分の側面に折り曲げるだけでＴ字接合部分の布基礎の側面を覆えるので、Ｔ字接合部分を容易に覆うことができる。
【００１３】
請求項６に記載の発明は、図５に示すように、請求項１ないし請求項５のいずれかに記載の養生カバーにおいて、前記直線カバーを覆う平場シート７を備えていることを特徴とするものである。
このような本発明によれば、基礎の上面を直線カバーと平場シートとで覆っているので、さらに断熱性を向上させることができる。
【００１４】
【発明の実施の形態】
以下に、本発明の一実施形態を図面に基づいて説明する。
図１には、本実施形態の養生カバー１が用いられる布基礎１０が示されている。布基礎１０は、四角状に配置された各２本ずつの平行な直線部１１と、これらの直線部１１の内部に十文字状に設けられた内側直線部１２とを有して、平面田字状に形成されている。そのため、布基礎１０は、曲線部、つまりコーナ部１３と、内側直線部１２同士が交差する十文字部１４と、直線部１１と内側直線部１２との接合部、つまりＴ字部１５とを有している。
【００１５】
布基礎１０は、図２に示すように、フーチング部１０Ａとこのフーチング部１０Ａの上部に一体的に形成された立ち上がり部１０Ｂとを有して形成されている。立ち上がり部１０Ｂは、型枠２０内にコンクリート２１を打設することにより形成されている。このような立ち上がり部１０Ｂの天端（上面）には、セメントを基材としたセルフレベリング材２２が流し込まれている。
【００１６】
前記養生カバー１は、前記直線部１１の上面を覆う複数の直線カバー２と、それぞれ前記コーナ部１３、十文字部１４、およびＴ字部１５を覆う役物シート３とを備えて構成されている。
直線カバー２は、直射日光や、風等によるコンクリート２１、セルフレベリング材２２の乾燥を防止し、それらのひび割れ、特にセルフレベリング材２２のひび割れを防止するものである。また、役物シート３は、直線カバー２を覆うとともに、型枠２０の側面を覆い、その側面に直射日光や、風等が当たることによる早期乾燥を防止し、養生不良を防止するものである。
【００１７】
直線カバー２は、例えば発泡ウレタン製とされ、型枠２０の外側幅寸法とほぼ等しい幅の本体部２Ａと、この本体部２Ａの両端に当該本体部２Ａから曲げられ、かつ、型枠２０の側面に係合可能となった係合部２Ｂとを有して形成されている。カバー本体部２Ａの厚さは、係合部２Ｂの厚さよりも厚く形成されており、また、カバー本体部２Ａと係合部２Ｂとの接合部分である曲がり部分２Ｃは、係合部２Ｂよりも薄く形成され、その部分が高密度になっている。
このような直線カバー２は、図１に示すように、予め所定の長さに形成されており、この長さは、建物の基準寸法のＭ（モジュール）に対応するように設定されており、例えば２Ｍのものが所定数準備されている。
【００１８】
役物シート３は、図３，４に示すように、布基礎１０の前記コーナ部１３を覆う複数のコーナ役物シート４と、前記十文字部１４に被せられる十文字部役物シート５と、前記Ｔ字部１５に被せられる複数のＴ字部役物シート６と、前記直線部１１および内側直線部１２に被せられる平場シートである複数の直線部役物シート７と、を含み構成されている。
【００１９】
コーナ役物シート４は、平面視Ｌ字状に形成され、コーナ部１３に載せられる平面部４Ａと、この平面部４Ａの両側に垂れ下がり、型枠２０の内側、外側の両側面を覆う側面部４Ｂとを有して形成されている。
十文字部役物シート５は、図５に示すように、展開形状が平面視Ｈ字状に形成され、布基礎１０の交差する内側直線部１２の一方に載せられる平面部５Ａと、布基礎１０の十文字部１４における一方の直線部の両側面に被せられる外側部５Ｂ、５Ｃとを有しており、外側部５Ｂ、５Ｃは、それぞれ、交差する他の内側直線部１２を挟み込むように２つに分けられている。
【００２０】
Ｔ字部役物シート６は、図６に示すように、展開形状が平面視コ字状に形成され、布基礎１０の直線部１１に載せられる平面部６Ａと、型枠２０の外側の側面に被せられる外側部６Ｂと、型枠２０の内側の側面に被せられる内側部６Ｃとを有しており、内側部６Ｃは、交差する内側直線部１２を挟み込むように２つに分けられている。
平場シートである直線部役物シート７は、布基礎１０の直線部１１および内側直線部１２に載せられる平面部７Ａと、型枠２０の両側面に被せられる側面部７Ｂとを有して形成され、前記直線カバー２にほぼ対応する長さに形成されている。
【００２１】
以上のようなコーナ役物シート４、十文字部役物シート５およびＴ字部役物シート６は、前記直線カバー１１の端部の一部に重なるように載せられ、また、これらの役物シート４，５，６の上に、互いの端部の一部が重なるように、直線部役物シート７が載せられるようになっている。
【００２２】
前記直線カバー２のうち、図７に示すように、アンカーボルト２３のある位置の直線カバー２は、型枠２０に取り付ける際、アンカーボルト２３を貫通させ、つまり、突き刺して取り付けられ、これにより、直線カバー２がアンカーボルト２３のねじ部に絡まり、型枠２０から外れにくくなっているとともに、上面に窪みが形成されにくいので、水等が溜まりにくくなっている。
【００２３】
次に、本実施形態の布基礎の施行方法を説明する。
布基礎１０の施工に先立って、施工に必要な材料、直線カバー２、役物シート３、アンカーボルトキャップおよび固定用ゴムバンド等の道具を揃えておき、型枠２０を設置する。その型枠２０内の所定の位置にアンカーボルト２３をセットした後、型枠２０内にコンクリート２１を打設し、次いで、コンクリート２１の上面にセルフレベリング材２２を流し込む。
【００２４】
型枠２０内のコンクリート２１上面にセルフレベリング材２２の流し込みを完了したら、直線カバー２の両側の係合部２Ｂを開いて型枠２０の両側面を挟み込んで型枠２０に嵌め込み、図１に示すように、複数の直線カバー２を順次取り付ける。アンカーボルト位置では、アンカーボルト２３に直線カバー２を突き刺してから取り付ける。
ここで、直線カバー２の取り付けは、セルフレベリング材２２の流し込みを行った位置から順に行うことが好ましい。
【００２５】
また、夏場等の直射日光の強い日に施工する際は、セルフレベリング材２２の流し込みを、例えば２ｍ程度行った後、すぐに直線カバー２の取り付けを行うことが、セルフレベリング材２２のひび割れを防止する上で好ましい。
すべての直線カバー２の取り付けが完了したら、アンカーボルト２３にキャップを取り付ける。
【００２６】
次いで、図３〜６に示すように、布基礎１０の４箇所のコーナ部１３に、それぞれコーナ役物シート４を取り付けるとともに、十文字部１４に十文字部役物シート５、Ｔ字部１５にＴ字部役物シート６をそれぞれ取り付け、引き続き、上記役物シート４〜６上に、互いの端部を例えば１０ｃｍ程度重ね合わせて直線部役物シート７を取り付け、その後、これらの役物シート４〜７にゴムバンド等を巻き付けて型枠２０に固定する。
ゴムバンドによる固定は、各役物シート４〜７の皺を伸ばしながら、ゴムバンドに設けられているＳ管金具を、セパの爪や、型枠２０のフック等に引っ掛けて行う。
布基礎１０の養生が終わったら、役物シート３および直線カバー２を順次取り外し、建物の据え付けに備える。
【００２７】
このような実施形態によれば、次のような効果がある。
(1) 布基礎１０の直線部分１１，１２を直線カバー２で覆い、十文字部１４およびＴ字部１５を、役物シート３を構成する十文字部役物シート５、Ｔ字部役物シート６でそれぞれ覆ったので、布基礎１０全体が直線カバー２と役物シート３とで覆われたことになり、その結果、布基礎１０のコンクリート表面の、直射日光や風等による急激な乾燥を防止できる。
【００２８】
(2) 布基礎１０全体を直線カバー２と役物シート３とで覆ったので、コンクリート表面の密閉性が高まり、外気温度が高い場合でも乾燥を防止することができ、また、寒冷地でも凍結を防止することができる。
(3) 直線カバー２および役物シート３で所定の位置を覆うようになっているので、一つ一つの部材の重量が１枚の大きなシートに比べて軽い上に、かさばらず、取扱いが容易となり、養生カバー１の取り付けの作業効率が向上する。
【００２９】
(4) 役物シート３の一部は、直線カバー２の端部に重なって設けられているので、直線カバー２の端部加工が不要となる。従って、直線カバー２をそのまま使用することができるので、施行能率を向上させることができる。
(5) 直線カバー２の端部は役物シート３の一部で覆われているので、直線カバー２が風等で飛散するおそれが少ない。
【００３０】
(6) 直線カバー２の端部と役物シート３の一部とが重なっているので、その重なった部分では、より断熱効果が向上し、より乾燥を防止することができる。
(7) 現場で直線カバー２の長さ調整を行う場合が生じても、直線カバー２が発泡ウレタン製なので、切断加工が容易であり、これにより、施行能率を向上させることができる。
【００３１】
(8) アンカーボルト２３が設けられた部位での直線カバー２の取り付けは、直線カバー２をアンカーボルト２３に突き刺して行われるため、直線カバー２の穴部と、アンカーボルト２３のねじ部分とが係合することになって抜けにくくなる。その結果、係合部２Ｂでの係合と、ねじ部分での係合との２箇所の係合となるので、直線カバー２の脱落を容易に防止することができる。
(9) 直線カバー２は、そのカバー本体部２Ａが厚く形成されているので、コンクリート２１の断熱性をさらに向上させることができる。
【００３２】
(10) 直線カバー２のカバー本体部２Ａと係合部２Ｂとの接合部分２Ｃを薄くしたので、直線カバー２を型枠２０に支持させる際、拡げやすくなって、取り付けやすくなり、従って、直線カバー２取り付けの作業効率を向上させることができる。
(11) 十文字部役物シート５は、平面部５Ａとその両側に設けられる側面部５Ｂとを有し展開形状がＨ字状に形成されているので、平面部５Ａを十字部１５上に載せ、側面部５Ｂを折り曲げるだけで十文字部１４の上面および側面を覆えるので、布基礎１０の十文字部１４を容易に覆うことができる。
【００３３】
(12) Ｔ字部役物シート６は、平面部６Ａとその一方および他方の側面に設けられる側面部６Ｂ，６Ｃとを有し展開形状がコの字状に形成されているので、平面部６ＡをＴ字部１５の上面に載せ、一方の側面部６Ｂを一方の直線部１１の側面に折り曲げるとともに、他方の側面部６Ｃを他方の直線部１１の反対側側面に折り曲げるだけでＴ字部１５の側面を覆えるので、Ｔ字部１５を容易に覆うことができる。
【００３４】
なお、本発明は前記実施形態に限定されるものではなく、本発明の目的を達成できるものであれば、次のような変形形態でもよいものである。
例えば、前記実施形態では、直線カバー２の端部が、布基礎１０の直線部１１上、かつ、コーナ部１３、十文字接合部１４あるいはＴ字接合部１５の他の直線部１１，１２の一側面までの長さに形成されているが、これに限らず、コーナ部１３では、いずれかの直線部１１の端部まで延ばし、十文字接合部１４では、交差する直線部１２のいずれかを直線カバー２で覆うようにし、Ｔ字接合部１５では、同じ直線部１１，１２上でいずれかの直線カバー２を他の直線カバー２に当設するまで延ばしてもよい。この場合、他の直線部１１，１２との接合箇所では、直線カバー２の一側面を切り欠けばよい。
このようにすれば、布基礎１０のセルフレベリング材２２のすべての面が直線カバー２で覆われるので、役物シート３で覆うまでの間の乾燥を防止することができる。
【００３５】
また、前記実施形態では、直線カバー２は、発泡ウレタン製とされているが、これに限らず、発泡ポリエチレン、ポリプロピレン、塩化ビニール等、他の合成樹脂製の直線カバーを用いてもよい。
【００３６】
【発明の効果】
以上に説明したように、請求項１の発明によれば、布基礎の直線部分を直線カバー、接合部分を役物シートで覆い、布基礎全体を直線カバーと役物シートとで覆ったので、コンクリート表面の、直射日光や風等による急激な乾燥を防止できる。また、布基礎全体を直線カバーと役物シートとで覆ったので、コンクリート表面の密閉性が高まり、外気温度が高い場合でも乾燥を防止することができ、また、寒冷地でも凍結を防止することができる。さらに、それぞれ、直線カバーおよび役物シートで所定の位置を覆うようになっているので、一つ一つの部材の重量が１枚の大きなシートに比べて軽い上に、かさばらず、取扱いが容易となり、作業効率が向上する。また、直線カバーの穴部と、アンカーボルトのねじ部分とが係合することにより、抜けにくくなり、これにより、直線カバーの脱落を容易に防止することができる。
【００３７】
請求項２の発明によれば、直線カバー端部の加工が不要となり、直線カバーをそのまま使用することができるので、施行能率を向上させることができる。また、直線カバー端部は役物シートで覆われているので、直線カバーが風等で飛散するおそれが少ない。さらに、直線カバー端部と役物シートとが重なる部分があるので、その部分では、より乾燥を防止することができる。
【００４０】
請求項３の発明によれば、カバー本体部を厚くしたので、コンクリートの断熱性をさらに向上させることができる。また、カバー本体部と係合部との接合部分を薄くしたので、直線カバーを型枠に支持させる際、拡げやすくなって、取り付けやすくなり、従って、直線カバーの取り付けの施行性を向上させることができる。
【００４１】
請求項４の発明によれば、平面部を十字接合部分上に載せ、側面部を折り曲げるだけで布基礎の十字接合部の上面および側面を覆えるので、十字接合部分を容易に覆うことができる。
【００４２】
請求項５の発明によれば、平面部をＴ字接合部分の上面に載せ、一方の側面部を一方の直線部分の側面に折り曲げるとともに、他方の側面部を他方の直線部分の側面に折り曲げるだけでＴ字接合部分の布基礎の側面を覆えるので、Ｔ字接合部分を容易に覆うことができる。
【００４３】
請求項６の発明によれば、基礎の上面を直線カバーと平場シートとで覆っているので、さらに断熱性を向上させることができる。
【図面の簡単な説明】
【図１】本発明に係る養生カバーが設けられる布基礎を示す全体斜視図である。
【図２】図１のII−II線に沿った布基礎の断面図である。
【図３】前記実施形態の布基礎に直線カバーとコーナ部役物シートが設けられた状態を示す全体斜視図である。
【図４】前記実施形態の布基礎にすべての役物シートが設けられた状態を示す全体平面図である。
【図５】前記実施形態の布基礎の十文字部における直線カバーと役物シートとを示す分解斜視図である。
【図６】前記実施形態の布基礎のＴ字部における直線カバーと役物シートとを示す分解斜視図である。
【図７】前記実施形態の布基礎のアンカーボルトと直線カバーとの関係を示す縦断面図である。
【符号の説明】
１    養生カバー
２    直線カバー
３    役物シート
４    役物シートを構成するコーナ部シート
５    役物シートを構成する十文字部シート
６    役物シートを構成するＴ字部シート
７    役物シートを構成する直線部シート（平場シート）
１０    布基礎
１１    直線部
１２    内側直線部
１３    布基礎のコーナ部
１４    布基礎の十文字部
１５    布基礎のＴ字部
２０    型枠
２１    コンクリート
２２    セルフレベリング材
２３    アンカーボルト
【図１】
0003876183.tif 000002
【図２】
0003876183.tif 000003
【図３】
0003876183.tif 000004
【図４】
0003876183.tif 000005
【図５】
0003876183.tif 000006
【図６】
0003876183.tif 000007
【図７】
0003876183.tif 000008